(57)【要約】【課題】一番端の発光部から基板端部までの距離を発光ピッチの半分以下にしなくても、発光基板を主走査方向に一列に並べられるようにする。【解決手段】発光基板は、主走査方向に配列された複数の第１発光部と、複数の第１発光部の配列に対して主走査方向と交差する方向に配置された第２発光部を備える。レンズアレイは、複数の第１発光部の各々と対向配置された複数の第１レンズと、第２発光部と対向配置された第２レンズを備える。各第１レンズは、当該第１レンズとこれに対向する第１発光部とを結ぶ直線が被照射面と交わる位置に、対向する第１発光部からの出射光を結像する。第２レンズは、複数の第１発光部のうち一方の端に位置する第１発光部からの出射光の結像位置を第１結像位置とし、他のいずれかの第１発光部からの出射光の結像位置を第２結像位置としたとき、第２発光部からの出射光を、第１結像位置を挟んで第２結像位置の側とは反対側に結像する。【選択図】図２
2011173303.tif 000002
【特許請求の範囲】
【請求項１】
主走査方向に配列された複数の第１発光部と、前記複数の第１発光部の配列に対して前記主走査方向と交差する方向に配置された第２発光部とを有する発光基板と、
前記複数の第１発光部の各々と対向する位置に設けられ、対向する前記第１発光部からの出射光を被照射面に結像する複数の第１レンズと、前記第２発光部と対向する位置に設けられ、前記第２発光部からの出射光を前記被照射面に結像する第２レンズとを有するレンズアレイとを備え、
前記複数の第１レンズの各々は、
当該第１レンズとこれに対向する前記第１発光部とを結ぶ直線が前記被照射面と交わる位置に、対向する前記第１発光部からの出射光を結像し、
前記第２レンズは、
前記複数の第１発光部のうち一方の端に位置する前記第１発光部からの出射光の結像位置を第１結像位置とし、他のいずれかの前記第１発光部からの出射光の結像位置を第２結像位置としたとき、前記第２発光部からの出射光を、前記第１結像位置を挟んで前記第２結像位置の側とは反対側に結像する
ことを特徴する光ヘッド。
【請求項２】
前記複数の第１レンズの各々は、光学中心と幾何学中心とが一致し、
互いに対向する前記第１発光部と前記第１レンズは、前記第１発光部の発光中心と前記第１レンズの光軸とが一致し、
前記第２レンズは、
光学中心と幾何学中心とが異なり、
前記第２発光部からの出射光が前記第１結像位置を挟んで前記第２結像位置の側とは反対側に結像されるように偏心度が定められている
ことを特徴する請求項１に記載の光ヘッド。
【請求項３】
前記複数の第１レンズの各々と前記第２レンズは、光学中心と幾何学中心とが一致し、
互いに対向する前記第１発光部と前記第１レンズは、前記第１発光部の発光中心と前記第１レンズの光軸とが一致し、
前記第２発光部と前記第２レンズは、
前記第２発光部からの出射光が前記第１結像位置を挟んで前記第２結像位置の側とは反対側に結像されるように、前記第２発光部の発光中心と前記第２レンズの光軸とをずらして配置されている
ことを特徴する請求項１に記載の光ヘッド。
【請求項４】
前記複数の第１発光部は、前記主走査方向に所定ピッチで一列に配列され、
前記第２レンズは、前記第２発光部からの出射光を、前記第１結像位置から前記第２結像位置の側とは反対側の方向に前記所定ピッチだけ離間した位置に結像する
ことを特徴する請求項１乃至３のうちいずれか一項に記載の光ヘッド。
【請求項５】
前記発光基板は、前記第２発光部を２つ有し、
前記レンズアレイは、２つの前記第２発光部の各々と対向する位置に設けられ、対向する前記第２発光部からの出射光を前記被照射面に結像する２つの前記第２レンズを有し、
一方の前記第２レンズは、
対向する前記第２発光部からの出射光を、前記第１結像位置を挟んで前記第２結像位置の側とは反対側に結像し、
他方の前記第２レンズは、
前記複数の第１発光部のうち他方の端に位置する前記第１発光部からの出射光の結像位置を第３結像位置とし、他のいずれかの前記第１発光部からの出射光の結像位置を第４結像位置としたとき、対向する前記第２発光部からの出射光を、前記第３結像位置を挟んで前記第４結像位置の側とは反対側に結像する
ことを特徴する請求項１に記載の光ヘッド。
【請求項６】
主走査方向に配列された複数の第１発光部と、前記複数の第１発光部の配列に対して前記主走査方向と交差する方向に配置された第２発光部とを有する発光基板と、
前記複数の第１発光部の各々と対向する位置に設けられ、対向する前記第１発光部からの出射光を被照射面に結像する複数の第１レンズと、前記第２発光部と対向する位置に設けられ、前記第２発光部からの出射光を前記被照射面に結像する第２レンズとを有するレンズアレイとを備え、
前記複数の第１レンズの各々は、光学中心と幾何学中心とが一致し、
前記第２レンズは、光学中心と幾何学中心とが異なる
ことを特徴とする光ヘッド。
【請求項７】
主走査方向に配列された複数の第１発光部と、前記複数の第１発光部の配列に対して前記主走査方向と交差する方向に配置された第２発光部とを有する発光基板と、
前記複数の第１発光部の各々と対向する位置に設けられ、対向する前記第１発光部からの出射光を被照射面に結像する複数の第１レンズと、前記第２発光部と対向する位置に設けられ、前記第２発光部からの出射光を前記被照射面に結像する第２レンズとを有するレンズアレイとを備え、
互いに対向する前記第１発光部と前記第１レンズとにおいて、前記第１発光部の発光中心と前記第１レンズの光軸とが一致し、
前記第２発光部の発光中心と前記第２レンズの光軸とがずれるように、前記第２発光部と前記第２レンズとが配置されている
ことを特徴とする光ヘッド。
【請求項８】
主走査方向に一列に配列された複数の発光部を有する発光基板と、
前記複数の発光部の各々と対向する位置に設けられ、対向する前記発光部からの出射光を被照射面に結像する複数のレンズを有するレンズアレイとを備え、
前記複数のレンズの各々は、
当該レンズの配列位置が中央から端になるにつれ、対向する前記発光部からの出射光を前記中央から前記端に向かう方向に屈折させる角度が大きくなる
ことを特徴する光ヘッド。
【請求項９】
前記複数の発光部は、前記主走査方向に第１ピッチで一列に配列され、
前記複数のレンズは、前記複数の発光部の各々からの出射光を、前記第１ピッチより大きい第２ピッチで前記主走査方向に一列に結像する
ことを特徴する請求項８に記載の光ヘッド。
【請求項１０】
前記複数のレンズの各々は、
光学中心と幾何学中心とが異なり、
前記レンズの配列位置が中央から端になるにつれ、偏心度が大きくなる
ことを特徴する請求項８または９に記載の光ヘッド。
【請求項１１】
前記複数のレンズの各々は、光学中心と幾何学中心とが一致し、
互いに対向する前記発光部と前記レンズは、前記レンズの配列位置が中央から端になるにつれ、前記発光部の発光中心と前記レンズの光軸とのずれが大きくなる
ことを特徴する請求項８または９に記載の光ヘッド。
【請求項１２】
前記発光基板及び前記レンズアレイを複数備え、前記複数の発光基板及びレンズアレイが前記主走査方向に配列されている
ことを特徴する請求項１乃至１１のうちいずれか一項に記載の光ヘッド。
【請求項１３】
請求項１乃至１２のうちいずれか一項に記載の光ヘッドを備えたことを特徴とする電子機器。
【発明の詳細な説明】
【技術分野】
【０００１】
本発明は、複数の発光部を備えた光ヘッドおよび電子機器に関する。
【背景技術】
【０００２】
プリンター等の画像形成装置は、像担持体（例えば感交代ドラム）を露光して潜像を書き込む光ヘッドを備える。この種の光ヘッドは、主走査方向に沿って多数の発光素子が配列された発光素子アレイを有する。また、発光素子アレイは、所定数の発光素子が配列された発光素子チップを主走査方向に複数並べることで構成される。
【０００３】
ところで、複数の発光素子チップを主走査方向に一列に並べる場合、隣の発光素子チップとの境目部分でも発光ピッチを一定に保つため、各発光素子チップにおいて一番端の発光素子からチップ端部までの距離を発光ピッチの半分以下にする必要があった。しかしながら、一番端の発光素子からチップ端部までの距離を発光ピッチの半分以下にすると、解像度を高めるため発光ピッチを小さくした場合、発光素子チップを切り出す際に一番端の発光素子が欠けてしまう等といった不具合が生じる。このため複数の発光素子チップを主走査方向に沿って千鳥状に配列する技術がある（例えば特許文献１，２参照）。
【先行技術文献】
【特許文献】
【０００４】
【特許文献１】特開２００２−２４８８０３号公報
【特許文献２】特開２００８−１５５４５８号公報
【発明の概要】
【発明が解決しようとする課題】
【０００５】
しかしながら、複数の発光素子チップを主走査方向に沿って千鳥状に配列した場合、光ヘッドの副走査方向の幅が大きくなってしまう。
本発明は、上述した課題に鑑みてなされたものであり、一番端の発光部から基板端部までの距離を発光ピッチの半分以下にしなくても、発光基板を主走査方向に一列に並べることが可能な光ヘッド、およびこれを用いた電子機器を提供することを課題とする。
【課題を解決するための手段】
【０００６】
以上の課題を解決するため、本発明の第１の態様に係る光ヘッドは、主走査方向に配列された複数の第１発光部と、前記複数の第１発光部の配列に対して前記主走査方向と交差する方向に配置された第２発光部とを有する発光基板と、前記複数の第１発光部の各々と対向する位置に設けられ、対向する前記第１発光部からの出射光を被照射面に結像する複数の第１レンズと、前記第２発光部と対向する位置に設けられ、前記第２発光部からの出射光を前記被照射面に結像する第２レンズとを有するレンズアレイとを備え、前記複数の第１レンズの各々は、当該第１レンズとこれに対向する前記第１発光部とを結ぶ直線が前記被照射面と交わる位置に、対向する前記第１発光部からの出射光を結像し、前記第２レンズは、前記複数の第１発光部のうち一方の端に位置する前記第１発光部からの出射光の結像位置を第１結像位置とし、他のいずれかの前記第１発光部からの出射光の結像位置を第２結像位置としたとき、前記第２発光部からの出射光を、前記第１結像位置を挟んで前記第２結像位置の側とは反対側に結像する、ことを特徴とする。
【０００７】
この構成によれば、発光基板に配列された複数の第１発光部のうち、その両端に位置する２つの第１発光部からの出射光の結像位置よりも外側に、第２発光部からの出射光を結像することができる。つまり、被照射面には、発光基板に配列された複数の第１発光部の両端に相当する位置よりも外側に、第２発光部からの出射光が結像される。従って、従来のように一番端の発光部から基板端部までの距離（以下、額縁部の距離と記載する）を発光ピッチの半分以下にしなくても、複数の発光基板を主走査方向に一列に並べることができるから、光ヘッドの副走査方向の幅を小さくし、光ヘッドを小型化することができる。
また、本発明によれば、発光基板を一列に並べることが可能な額縁部の距離を従来よりも大きくとることができるから、発光基板を切り出す際に要求される精度が従来ほど高くなくて済む。このため発光基板の切り出しが容易になる。
【０００８】
また、上述した第１の態様に係る光ヘッドにおいて、前記複数の第１レンズの各々は、光学中心と幾何学中心とが一致し、互いに対向する前記第１発光部と前記第１レンズは、前記第１発光部の発光中心と前記第１レンズの光軸とが一致し、前記第２レンズは、光学中心と幾何学中心とが異なり、前記第２発光部からの出射光が前記第１結像位置を挟んで前記第２結像位置の側とは反対側に結像されるように偏心度が定められている構成であってもよい。
この場合、第２レンズとして、いわゆる偏心レンズ（光学中心と幾何学中心とが異なるレンズ）を使用することができる。
【０００９】
また、上述した第１の態様に係る光ヘッドにおいて、前記複数の第１レンズの各々と前記第２レンズは、光学中心と幾何学中心とが一致し、互いに対向する前記第１発光部と前記第１レンズは、前記第１発光部の発光中心と前記第１レンズの光軸とが一致し、前記第２発光部と前記第２レンズは、前記第２発光部からの出射光が前記第１結像位置を挟んで前記第２結像位置の側とは反対側に結像されるように、前記第２発光部の発光中心と前記第２レンズの光軸とをずらして配置されている構成であってもよい。
この場合、レンズアレイに配列されるレンズを一種類（光学中心と幾何学中心とが一致するレンズ）にすることができるので、レンズアレイの製造が容易である。
【００１０】
また、上述した第１の態様に係る光ヘッドにおいて、前記複数の第１発光部は、前記主走査方向に所定ピッチで一列に配列され、前記第２レンズは、前記第２発光部からの出射光を、前記第１結像位置から前記第２結像位置の側とは反対側の方向に前記所定ピッチだけ離間した位置に結像する構成であってもよい。
この場合、各第１発光部からの出射光の結像位置を等間隔（所定ピッチ）に保つことができることは勿論、複数の第１発光部のうち一方の端に位置する第１発光部からの出射光の結像位置と、第２発光部からの出射光の結像位置との間隔も所定ピッチに保つことができる。
【００１１】
また、上述した第１の態様に係る光ヘッドにおいて、前記発光基板は、前記第２発光部を２つ有し、前記レンズアレイは、２つの前記第２発光部の各々と対向する位置に設けられ、対向する前記第２発光部からの出射光を前記被照射面に結像する２つの前記第２レンズを有し、一方の前記第２レンズは、対向する前記第２発光部からの出射光を、前記第１結像位置を挟んで前記第２結像位置の側とは反対側に結像し、他方の前記第２レンズは、前記複数の第１発光部のうち他方の端に位置する前記第１発光部からの出射光の結像位置を第３結像位置とし、他のいずれかの前記第１発光部からの出射光の結像位置を第４結像位置としたとき、対向する前記第２発光部からの出射光を、前記第３結像位置を挟んで前記第４結像位置の側とは反対側に結像する構成であってもよい。
この構成によれば、発光基板に配列された複数の第１発光部のうち、両端に位置する２つの第１発光部からの出射光の結像位置を両側から挟むようにその外側に、２つの第２発光部からの出射光を結像することができる。この場合、第２発光部と第２レンズを各々１つ備える構成に比べ、発光基板を一列に並べることが可能な額縁部の距離を大きくとることができる。
【００１２】
また、本発明の第２の態様に係る光ヘッドは、主走査方向に配列された複数の第１発光部と、前記複数の第１発光部の配列に対して前記主走査方向と交差する方向に配置された第２発光部とを有する発光基板と、前記複数の第１発光部の各々と対向する位置に設けられ、対向する前記第１発光部からの出射光を被照射面に結像する複数の第１レンズと、前記第２発光部と対向する位置に設けられ、前記第２発光部からの出射光を前記被照射面に結像する第２レンズとを有するレンズアレイとを備え、前記複数の第１レンズの各々は、光学中心と幾何学中心とが一致し、前記第２レンズは、光学中心と幾何学中心とが異なる、ことを特徴とする。
この構成によれば、第２レンズとしていわゆる偏心レンズ（光学中心と幾何学中心とが異なるレンズ）を使用することで、発光基板に配列された複数の第１発光部のうち、その両端に位置する２つの第１発光部からの出射光の結像位置よりも外側に、第２発光部からの出射光を結像することが可能になるから、上述した第１の態様に係る光ヘッドと同様の効果を奏する。
【００１３】
また、本発明の第３の態様に係る光ヘッドは、主走査方向に配列された複数の第１発光部と、前記複数の第１発光部の配列に対して前記主走査方向と交差する方向に配置された第２発光部とを有する発光基板と、前記複数の第１発光部の各々と対向する位置に設けられ、対向する前記第１発光部からの出射光を被照射面に結像する複数の第１レンズと、前記第２発光部と対向する位置に設けられ、前記第２発光部からの出射光を前記被照射面に結像する第２レンズとを有するレンズアレイとを備え、互いに対向する前記第１発光部と前記第１レンズとにおいて、前記第１発光部の発光中心と前記第１レンズの光軸とが一致し、前記第２発光部の発光中心と前記第２レンズの光軸とがずれるように、前記第２発光部と前記第２レンズとが配置されている、ことを特徴とする。
この構成によれば、第２発光部の発光中心と第２レンズの光軸とがずれるように第２発光部と第２レンズとを配置することで、発光基板に配列された複数の第１発光部のうち、その両端に位置する２つの第１発光部からの出射光の結像位置よりも外側に、第２発光部からの出射光を結像することが可能になるから、上述した第１の態様に係る光ヘッドと同様の効果を奏する。
【００１４】
また、本発明の第４の態様に係る光ヘッドは、主走査方向に一列に配列された複数の発光部を有する発光基板と、前記複数の発光部の各々と対向する位置に設けられ、対向する前記発光部からの出射光を被照射面に結像する複数のレンズを有するレンズアレイとを備え、前記複数のレンズの各々は、当該レンズの配列位置が中央から端になるにつれ、対向する前記発光部からの出射光を前記中央から前記端に向かう方向に屈折させる角度が大きくなる、ことを特徴とする。
【００１５】
この構成によれば、被照射面には、発光基板に配列された複数の発光部の両端に相当する位置よりも外側に、複数の第１発光部のうち少なくとも両端に位置する２つの発光部からの出射光が結像される。従って、上述した第１の態様に係る光ヘッドと同様の効果を奏する。また、上述した第１の態様に係る光ヘッドのうち、第２発光部と第２レンズを各々１つ備える構成に比べ、発光基板を一列に並べることが可能な額縁部の距離を大きくとることができる。
【００１６】
また、上述した第４の態様に係る光ヘッドにおいて、前記複数の発光部は、前記主走査方向に第１ピッチで一列に配列され、前記複数のレンズは、前記複数の発光部の各々からの出射光を、前記第１ピッチより大きい第２ピッチで前記主走査方向に一列に結像する構成であってもよい。
この場合、各発光部からの出射光の結像位置を等間隔（第２ピッチ）に保つことができる。
【００１７】
また、上述した第４の態様に係る光ヘッドにおいて、前記複数のレンズの各々は、光学中心と幾何学中心とが異なり、前記レンズの配列位置が中央から端になるにつれ、偏心度が大きくなる構成であってもよい。
この場合、レンズアレイに配列されるレンズとして、いわゆる偏心レンズ（光学中心と幾何学中心とが異なるレンズ）を使用することができる。
【００１８】
また、上述した第４の態様に係る光ヘッドにおいて、前記複数のレンズの各々は、光学中心と幾何学中心とが一致し、互いに対向する前記発光部と前記レンズは、前記レンズの配列位置が中央から端になるにつれ、前記発光部の発光中心と前記レンズの光軸とのずれが大きくなる構成であってもよい。
この場合、レンズアレイに配列されるレンズとして、光学中心と幾何学中心とが一致するレンズを使用することができる。
【００１９】
また、上述したいずれかの態様に係る光ヘッドにおいて、前記発光基板及び前記レンズアレイを複数備え、前記複数の発光基板及びレンズアレイが前記主走査方向に配列されている構成であってもよい。
【００２０】
また、以上の各態様に係る光ヘッドは各種の電子機器に利用される。本発明に係る電子機器の典型例は画像形成装置である。画像形成装置は、上述したいずれかの態様に係る光ヘッドと、光ヘッドによる露光で潜像が形成される像担持体（例えば感光体ドラム）と、像担持体の潜像に対する現像剤（例えばトナー）の付加によって顕像を形成する現像器とを備える。
もっとも、本発明に係る光ヘッドの用途は像担持体の露光に限定されない。例えば、スキャナー等の画像読取装置においては、本発明に係る光ヘッドを原稿の照明に利用することができる。この画像読取装置は、上述したいずれかの態様に係る光ヘッドと、光ヘッドから出射して読取対象（原稿）で反射した光を電気信号に変換する受光装置（例えばＣＣＤ（Charge Coupled Device）素子等の受光素子）とを備える。
【図面の簡単な説明】
【００２１】
【図１】画像形成装置の一部の構造を示す斜視図である。
【図２】第１実施形態に係る光ヘッド１の構造を示す斜視図である。
【図３】発光素子Ｅ１とマイクロレンズＭＬ１の配置関係を示す断面図である。
【図４】発光素子Ｅ８とマイクロレンズＭＬ８の配置関係を示す断面図である。
【図５】第２実施形態に係る光ヘッド２の構造を示す斜視図である。
【図６】発光素子Ｅ８とマイクロレンズＭＬ１８の配置関係を示す断面図である。
【図７】第３実施形態に係る光ヘッド３の構造を示す斜視図である。
【図８】発光素子Ｅ４とマイクロレンズＭＬ２４の配置関係を示す断面図である。
【図９】発光素子Ｅ６とマイクロレンズＭＬ２６の配置関係を示す断面図である。
【図１０】変形例５に係る光ヘッド４の構造を示す斜視図である。
【図１１】電子機器の具体例（画像形成装置）を示す断面図である。
【発明を実施するための形態】
【００２２】
以下、図面を参照して本発明に係る実施の形態を説明する。なお、図面において各部の寸法の比率は実際のものと適宜異なる。
【００２３】
＜Ａ．第１実施形態＞
図１は、画像形成装置の一部の構造を示す斜視図である。
同図に示すように画像形成装置は、感光体ドラム７０と、感光体ドラム７０の外周面を露光して潜像を書き込む光ヘッド１とを備える。また、光ヘッド１は、複数の発光素子が配列された発光パネル１０と、この発光パネル１０と感光体ドラム７０の間に配置されたレンズアレイ２０とを備える。感光体ドラム７０は、Ｘ方向（主走査方向）に延在する回転軸によって支持され、外周面を光ヘッド１に対向させた状態で回転する。また、発光パネル１０の各発光素子からの光は、レンズアレイ２０によって感光体ドラム７０の表面に結像される。
【００２４】
図２は、第１実施形態に係る光ヘッド１の構造を示す斜視図である。
なお、図１と図２では、光ヘッド１と感光体ドラム７０の位置関係が上下（Ｚ方向）に逆転している。図１に示した発光パネル１０のうち感光体ドラム７０側の表面には、２枚の発光素子チップ１２がＸ方向に沿って一列に配置されている。なお、図２には、便宜上、２枚の発光素子チップ１２を例示しているが、３枚以上の発光素子チップ１２を一列に配置してもよい。
【００２５】
各発光素子チップ１２には、面発光する光源として、円形の発光面を有する８個の発光素子Ｅ１〜Ｅ８が形成されている。このうち６個の発光素子Ｅ１〜Ｅ６は、Ｘ方向に沿ってピッチＤ１で一列に配列される。また、残り２個の発光素子Ｅ７，Ｅ８は、発光素子Ｅ１，Ｅ６からＹ方向（副走査方向）に所定距離だけ離間した位置に設けられる。つまり、各発光素子チップ１２には、Ｘ方向に延びる直線ＬＸ１上に６個の発光素子Ｅ１〜Ｅ６がピッチＤ１で配列され、直線ＬＸ１と所定の間隔をあけて平行する直線ＬＸ２上に２個の発光素子Ｅ７，Ｅ８が配列される。図２から明らかなように、発光素子Ｅ７，Ｅ８は、発光素子Ｅ１〜Ｅ６の配列の端部の発光素子Ｅ１，Ｅ６のそれぞれに隣り合う位置に配置されるのが好ましい。そして、本実施形態ではＸ方向において発光素子Ｅ７とＥ８との間には発光素子を設ける必要はない。なお、１つの発光素子チップ１２において直線ＬＸ１上に配列される発光素子の数は、６個に限らず２個以上であればよい。また、以下の説明において各発光素子を特に区別する必要がない場合は、発光素子Ｅと記載する。
【００２６】
各発光素子Ｅは、例えば、有機発光ダイオード（Organic Light Emitting Diode）素子であり、電流の供給によって発光する。また、図示を省略しているが、各発光素子Ｅは、有機ＥＬ（Electro Luminescent）材料で形成された発光層と、発光層を挟む一方の電極および他方の電極とを有する。また、各発光素子Ｅは封止層（図示省略）によって覆われており、各発光素子Ｅからの光は封止層を透過して出射される。このため封止層と封止層側の電極は、光透過率の高い材料で形成される。また、各発光素子チップ１２の両端（短辺側）には、発光素子チップ１２を切り出す際の公差余裕を確保するため、幅Ｄ３を有する額縁部が存在する。この額縁部には発光素子Ｅを配置することができない。
【００２７】
次に、図１に示したレンズアレイ２０は、２個のレンズアレイユニット２２によって構成されている。各レンズアレイユニット２２は、発光素子チップ１２と対向配置され、図２に点線で示すように光透過性の材料（例えばガラス）で形成された平板状の基体を有する。また、基体のうち感光体ドラム７０側の表面と発光素子チップ１２側の表面には、それぞれ８個の円形状のレンズ部が形成されており、基体を挟んで対向する２個のレンズ部と両者間に存在する基体とで１個のマイクロレンズ（両凸レンズ）が構成される。なお、３枚の発光素子チップ１２を一列に配置した場合であれば、３個のレンズアレイユニット２２によってレンズアレイ２０が構成される。
【００２８】
各レンズアレイユニット２２には、発光素子Ｅ１と対向する位置にマイクロレンズＭＬ１が設けられ、発光素子Ｅ２と対向する位置にマイクロレンズＭＬ２が設けられ、…発光素子Ｅ６と対向する位置にマイクロレンズＭＬ６が設けられる。また、発光素子Ｅ７と対向する位置にはマイクロレンズＭＬ７が設けられ、発光素子Ｅ８と対向する位置にはマイクロレンズＭＬ８が設けられる。このように各レンズアレイユニット２２に備わる８個のマイクロレンズＭＬ１〜ＭＬ８のうち、６個のマイクロレンズＭＬ１〜ＭＬ６は、Ｘ方向に沿ってピッチＤ１で一列に配列され、残り２個のマイクロレンズＭＬ７，ＭＬ８は、マイクロレンズＭＬ１，ＭＬ６からＹ方向に所定距離だけ離間した位置に設けられる。なお、以下の説明において各マイクロレンズを特に区別する必要がない場合は、マイクロレンズＭＬと記載する。
【００２９】
また、図示を省略しているが、発光素子チップ１２とレンズアレイユニット２２の間には、発光素子チップ１２とレンズアレイユニット２２の距離を一定に保つためのスペーサが配置されている。このスペーサには、各発光素子Ｅから出射された光を、対向するマイクロレンズＭＬに入射させるための８個の貫通孔が形成されている。また、スペーサは、遮光性を有する部材で形成されており、発光素子Ｅからの光がこの発光素子Ｅに対向しないマイクロレンズＭＬに入射されることを抑制する。
【００３０】
各マイクロレンズＭＬは、対向する発光素子Ｅからの出射光を感光体ドラム７０の表面に結像する。また、マイクロレンズＭＬ１〜ＭＬ６は、光学中心と幾何学中心が一致するレンズであり、各々の中心軸をＺ方向に向けて配置される。また、マイクロレンズＭＬ７，ＭＬ８は、光学中心と幾何学中心が異なるレンズ（いわゆる偏心レンズ）である。なお、１つのレンズアレイユニット２２に備わるマイクロレンズＭＬの数は８個に限らない。例えば、１枚の発光素子チップ１２に１２８個の発光素子Ｅが設けられている場合は、１つのレンズアレイユニット２２に１２８個のマイクロレンズＭＬが設けられる。
【００３１】
図３は、発光素子Ｅ１とマイクロレンズＭＬ１の配置関係を示す断面図である。
マイクロレンズＭＬ１は光学中心と幾何学中心が一致するレンズである。また、同図に示すように発光素子Ｅ１とマイクロレンズＭＬ１は、発光素子Ｅ１の発光中心とマイクロレンズＭＬ１の光軸とが一致するように対向配置される。なお、マイクロレンズＭＬ１の光軸は、マイクロレンズＭＬ１を構成する２つのレンズ部の中心を結んだ直線である。また、一例として、マイクロレンズＭＬ１は、円柱状の形状を有する屈折率分布型レンズであり、その横断面内では、中心軸（光軸）での屈折率が低く、中心軸から離れるほど屈折率が高いものとしてもよい。マイクロレンズＭＬ１は、発光素子Ｅ１から出射されて図中下側のレンズ部に入射された光を図中上側のレンズ部から出射する。また、発光素子Ｅ１からの出射光は、感光体ドラム７０の表面のうちマイクロレンズＭＬ１の光軸と交差する位置に結像される。より詳細には、感光体ドラム７０の表面のうちマイクロレンズＭＬ１の光軸と交差する位置を中心として、発光素子Ｅ１からの出射光が結像されるスポット領域が形成される。
【００３２】
なお、発光素子Ｅ２とマイクロレンズＭＬ２、発光素子Ｅ３とマイクロレンズＭＬ３、…発光素子Ｅ６とマイクロレンズＭＬ６についても、発光素子Ｅ１とマイクロレンズＭＬ１と同様の配置関係を有する。従って、感光体ドラム７０の表面には、発光素子Ｅ１〜Ｅ６の各々から出射された光がＸ方向に沿ってピッチＤ１で一列に結像される。
【００３３】
図４は、発光素子Ｅ８とマイクロレンズＭＬ８の配置関係を示す断面図である。
マイクロレンズＭＬ８は、偏心レンズであり、発光素子Ｅ８からの出射光の進行方向をＸ方向側に屈折させることができる。このため図２に示すようにマイクロレンズＭＬ８は、発光素子Ｅ８からの出射光を、発光素子Ｅ６からの出射光の結像位置よりもＸ方向側に結像することができる。また、マイクロレンズＭＬ８は、発光素子Ｅ８からの出射光を、発光素子Ｅ６からの出射光の結像位置よりもピッチＤ１だけＸ方向側に結像できるよう、レンズの偏心度が定められている。このようにマイクロレンズＭＬ８の役割は、発光素子Ｅ８からの出射光を少なくともＸ方向に屈折させることである。従って、マイクロレンズＭＬ８は、発光素子Ｅ８からの出射光を元々の出射方向とは異なる方向に進ませる機能を有するものであれば、本願発明の目的を達することができる。
【００３４】
なお、発光素子Ｅ８とマイクロレンズＭＬ８の配置関係のＸ方向を逆転させたものが、発光素子Ｅ７とマイクロレンズＭＬ７の配置関係になる。従って、図２に示すようにマイクロレンズＭＬ７は、発光素子Ｅ７からの出射光を、発光素子Ｅ１からの出射光の結像位置よりもＸ方向とは反対側に結像することができる。また、マイクロレンズＭＬ７は、発光素子Ｅ７からの出射光を、発光素子Ｅ１からの出射光の結像位置よりもピッチＤ１だけＸ方向とは反対側に結像できるよう、レンズの偏心度が定められている。
【００３５】
なお、本実施形態に係るマイクロレンズＭＬ８（ＭＬ７）は、対向する発光素子Ｅ８（Ｅ７）からの出射光をＸ方向（Ｘ方向とは反対の方向）に曲げるものとする。また、図２において、図中左側の発光素子チップ１２およびレンズアレイユニット２２と、図中右側の発光素子チップ１２およびレンズアレイユニット２２は、図中左側の発光素子チップ１２の発光素子Ｅ８から出射された光の結像位置と、図中右側の発光素子チップ１２の発光素子Ｅ７から出射された光の結像位置との間隔がピッチＤ１となるように配置されている。
【００３６】
光ヘッド１は、各発光素子Ｅに供給する電流の大きさや、各発光素子Ｅの発光時期を制御する駆動回路（図示省略）を備える。この駆動回路は、用紙等の記録材に印刷する画像に応じて各発光素子Ｅに供給する電流の大きさを制御する。また、駆動回路は、発光パネル１０に備わる総ての発光素子Ｅからの出射光によって画像の１つのラインに相当する潜像が感光体ドラム７０の表面に形成されるよう、各発光素子Ｅの発光時期を制御する。
【００３７】
ここで、図２に示す直線ＬＸ１と直線ＬＸ２の間隔をΔＤとしたとき、駆動回路は、直線ＬＸ１上の総ての発光素子Ｅ１〜Ｅ６を発光させると、感光体ドラム７０の表面がＹ方向に距離ΔＤだけ進むのに要する時間が経過した後、直線ＬＸ２上の総ての発光素子Ｅ７，Ｅ８を発光させる。これにより感光体ドラム７０の外周面には、発光素子Ｅ７からの出射光が、発光素子Ｅ１からの出射光の結像位置からＸ方向とは反対側にピッチＤ１だけ離間した位置に結像される。また、発光素子Ｅ８からの出射光は、発光素子Ｅ６からの出射光の結像位置からＸ方向にピッチＤ１だけ離間した位置に結像される。従って、感光体ドラム７０の外周面には、発光パネル１０に備わる総ての発光素子Ｅからの出射光がＸ方向にピッチＤ１で一列に結像され、潜像の１つのラインが形成される。また、感光体ドラム７０の回転と並行して同様の動作を反復することで、感光体ドラム７０の外周面には複数のラインからなる潜像が形成される。
【００３８】
以上説明したように本実施形態によれば、発光素子チップ１２に配列された発光素子Ｅ１〜Ｅ６のうち、その両端に位置する発光素子Ｅ１，Ｅ６からの出射光の結像位置よりも外側に、ピッチＤ１を保って発光素子Ｅ７，Ｅ８からの出射光を結像することができる。つまり、感光体ドラム７０の表面のうち、発光素子チップ１２の額縁部に相当する部分に、発光素子Ｅ７，Ｅ８からの出射光を結像することができる。従って、従来のように額縁部の幅Ｄ３をピッチＤ１の半分以下にしなくても、複数の発光素子チップ１２をＸ方向に一列に並べることができる。例えば図２の場合、発光素子チップ１２を一列に並べることが可能な額縁部の幅Ｄ３は、最大でピッチＤ１×１．５となる。つまり、額縁部の幅Ｄ３がピッチＤ１×１．５以下であれば、発光素子チップ１２をＸ方向に一列に並べることが可能になる。
【００３９】
このように本実施形態によれば、額縁部の幅Ｄ３がピッチＤ１の半分より大きくても、ピッチＤ１×１．５以下であれば、発光素子チップ１２をＸ方向に一列に並べることができるから、光ヘッド１のＹ方向の幅を小さくし、光ヘッド１を小型化することができる。また、本実施形態によれば、発光素子チップ１２を一列に並べることが可能な額縁部の幅Ｄ３を従来よりも大きくとることができるから、発光素子チップ１２を切り出す際に要求される精度が従来ほど高くなくて済む。このため発光素子チップ１２の切り出しが容易になる。
【００４０】
＜Ｂ．第２実施形態＞
次に第２実施形態について説明する。なお、本実施形態において第１実施形態と共通する構成要素には、同一の符号を付してその説明を適宜省略する。
図５は、第２実施形態に係る光ヘッド２の構造を示す斜視図である。
本実施形態に係る光ヘッド２が第１実施形態の光ヘッド１と異なるのは、各レンズアレイユニット２４に備わるマイクロレンズＭＬ１７，ＭＬ１８のみである。第１実施形態では、発光素子Ｅ７，Ｅ８に対向するマイクロレンズＭＬ７，ＭＬ８として偏心レンズを使用したが、本実施形態では、発光素子Ｅ７，Ｅ８に対向するマイクロレンズＭＬ１７，ＭＬ１８として、光学中心と幾何学中心が一致するレンズを使用する。
【００４１】
図６は、発光素子Ｅ８とマイクロレンズＭＬ１８の配置関係を示す断面図である。
マイクロレンズＭＬ１８は、光学中心と幾何学中心が一致するレンズであるが、レンズの光軸が発光素子Ｅ８の発光中心よりもＸ方向にずらされて配置される。このためマイクロレンズＭＬ１８は、発光素子Ｅ８からの出射光の進行方向をＸ方向側に屈折させることができる。また、図５に示すようにマイクロレンズＭＬ１８は、発光素子Ｅ８からの出射光を、発光素子Ｅ６からの出射光の結像位置よりもＸ方向側に結像する。また、マイクロレンズＭＬ１８は、発光素子Ｅ８からの出射光を、発光素子Ｅ６からの出射光の結像位置よりもピッチＤ１だけＸ方向側に結像できるよう、レンズの光軸を発光素子Ｅ８の発光中心からＸ方向にずらして配置される。
【００４２】
なお、発光素子Ｅ８とマイクロレンズＭＬ１８の配置関係のＸ方向を逆転させたものが、発光素子Ｅ７とマイクロレンズＭＬ１７の配置関係になる。従って、図５に示すようにマイクロレンズＭＬ１７は、発光素子Ｅ７からの出射光を、発光素子Ｅ１からの出射光の結像位置よりもＸ方向とは反対側に結像することができる。また、マイクロレンズＭＬ１７は、発光素子Ｅ７からの出射光を、発光素子Ｅ１からの出射光の結像位置よりもピッチＤ１だけＸ方向とは反対側に結像できるよう、レンズの光軸を発光素子Ｅ７の発光中心からＸ方向とは反対側にずらして配置される。
【００４３】
従って、マイクロレンズＭＬ１７，ＭＬ１８は、第１実施形態におけるマイクロレンズＭＬ７，ＭＬ８と同様に機能する。このため駆動回路において第１実施形態と同様に発光時期の制御を行うことで、感光体ドラム７０の外周面には、発光素子Ｅ７からの出射光が、発光素子Ｅ１からの出射光の結像位置からＸ方向とは反対側にピッチＤ１だけ離間した位置に結像される。また、発光素子Ｅ８からの出射光は、発光素子Ｅ６からの出射光の結像位置からＸ方向にピッチＤ１だけ離間した位置に結像される。従って、感光体ドラム７０の外周面には、総ての発光素子Ｅからの出射光がＸ方向にピッチＤ１で一列に結像される。
【００４４】
このように本実施形態においても、両端に位置する発光素子Ｅ１，Ｅ６からの出射光の結像位置よりも外側に、ピッチＤ１を保って発光素子Ｅ７，Ｅ８からの出射光を結像することができる。従って、第１実施形態と同様の効果を奏する。また、本実施形態では、第１実施形態のように偏心レンズを使用する必要がなく、各レンズアレイユニット２４に備わる総てのマイクロレンズＭＬを光学中心と幾何学中心が一致するレンズにすることができる。つまり、各レンズアレイユニット２４に備わるマイクロレンズＭＬを一種類にすることができるので、レンズアレイ２０の製造が容易である。
【００４５】
＜Ｃ．第３実施形態＞
次に第３実施形態について説明する。本実施形態においても第１実施形態と共通する構成要素には、同一の符号を付してその説明を適宜省略する。
図７は、第３実施形態に係る光ヘッド３の構造を示す斜視図である。
各発光素子チップ１６は、第１実施形態の発光素子チップ１２から発光素子Ｅ７，Ｅ８を削除したものであり、６個の発光素子Ｅ１〜Ｅ６がＸ方向に沿ってピッチＤ１で一列に配列されている。また、各レンズアレイユニット２６には、発光素子Ｅ１〜Ｅ６と対向する位置にマイクロレンズＭＬ２１〜ＭＬ２６が形成されている。これら６個のマイクロレンズＭＬ２１〜ＭＬ２６は、光学中心と幾何学中心が一致するレンズであり、Ｘ方向に沿って一列に配列される。なお、互いに対向する発光素子ＥとマイクロレンズＭＬの組は、６組に限らない。
【００４６】
図８は、発光素子Ｅ４とマイクロレンズＭＬ２４の配置関係を示す断面図である。また、図９は、発光素子Ｅ６とマイクロレンズＭＬ２６の配置関係を示す断面図である。
図８および図９に示すように、マイクロレンズＭＬ２４（ＭＬ２６）は、レンズの光軸が発光素子Ｅ４（Ｅ６）の発光中心よりもＸ方向にずらされて配置される。このためマイクロレンズＭＬ２４（ＭＬ２６）は、発光素子Ｅ４（Ｅ６）からの出射光の進行方向をＸ方向側に屈折させることができる。また、レンズの光軸と発光中心とのＸ方向のずれ量は、マイクロレンズＭＬ２４よりもマイクロレンズＭＬ２６の方が大きい。従って、マイクロレンズＭＬ２４よりもマイクロレンズＭＬ２６の方が出射光をＸ方向側に屈折させる角度が大きくなる。
【００４７】
なお、発光素子Ｅ６とマイクロレンズＭＬ２６の配置関係のＸ方向を逆転させたものが、発光素子Ｅ１とマイクロレンズＭＬ２１の配置関係になる。また、発光素子Ｅ４とマイクロレンズＭＬ２４の配置関係のＸ方向を逆転させたものが、発光素子Ｅ３とマイクロレンズＭＬ２３の配置関係になる。従って、マイクロレンズＭＬ２１（ＭＬ２３）は、レンズの光軸が発光素子Ｅ１（Ｅ３）の発光中心よりもＸ方向とは反対側にずらされて配置される。このためマイクロレンズＭＬ２１（ＭＬ２３）は、発光素子Ｅ１（Ｅ３）からの出射光の進行方向をＸ方向とは反対側に屈折させることができる。また、レンズの光軸と発光中心とのＸ方向のずれ量は、マイクロレンズＭＬ２３よりもマイクロレンズＭＬ２１の方が大きい。従って、マイクロレンズＭＬ２３よりもマイクロレンズＭＬ２１の方が出射光をＸ方向とは反対側に屈折させる角度が大きくなる。
【００４８】
このようにマイクロレンズＭＬ２４〜ＭＬ２６は、対向する発光素子Ｅからの出射光をＸ方向側に屈折させる角度が、マイクロレンズＭＬ２４→マイクロレンズＭＬ２５→マイクロレンズＭＬ２６の順に大きくなる。従って、レンズの光軸と発光中心とのＸ方向のずれ量も、ＭＬ２４とＥ４→ＭＬ２５とＥ５→ＭＬ２６とＥ６の順に大きくなる。一方、マイクロレンズＭＬ２１〜ＭＬ２３は、対向する発光素子Ｅからの出射光をＸ方向とは反対側に屈折させる角度が、マイクロレンズＭＬ２３→マイクロレンズＭＬ２２→マイクロレンズＭＬ２１の順に大きくなる。従って、レンズの光軸と発光中心とのＸ方向のずれ量も、ＭＬ２３とＥ３→ＭＬ２２とＥ２→ＭＬ１６とＥ１の順に大きくなる。
【００４９】
つまり、マイクロレンズＭＬ２１〜ＭＬ２６は、各レンズアレイユニット２６における配列位置が中央から端になるにつれ、対向する発光素子Ｅからの出射光を、中央から端に向かう方向側に屈折させる角度が大きくなる。また、マイクロレンズＭＬ２１〜ＭＬ２６は、感光体ドラム７０の表面に対し、発光素子Ｅ１〜Ｅ６からの出射光を、発光素子Ｅ１〜Ｅ６の配列間隔であるピッチＤ１よりも大きいピッチＤ２でＸ方向に一列に結像できるように、レンズの光軸を対向する発光素子Ｅの発光中心からずらして配置される。従って、感光体ドラム７０の表面には、発光素子Ｅ１〜Ｅ６からの出射光がＸ方向に沿ってピッチＤ２で一列に結像される。なお、本実施形態においては、総ての発光素子ＥがＸ方向に一列に配列されているので、第１実施形態のように駆動回路で各発光素子Ｅの発光時期をずらす必要がない。
【００５０】
以上説明したように本実施形態によれば、発光素子チップ１６に配列された発光素子Ｅ１〜Ｅ６のうち、その両端に位置する発光素子Ｅ１，Ｅ６からの出射光は、感光体ドラム７０の表面のうち発光素子Ｅ１，Ｅ６に相当する位置よりも外側にピッチＤ２を保って結像される。つまり、感光体ドラム７０の表面のうち、発光素子チップ１６の額縁部に相当する部分に、発光素子Ｅ１，Ｅ６からの出射光を結像することができる。従って、第１実施形態と同様の効果を奏する。また、第１実施形態や第２実施形態のように駆動回路で各発光素子Ｅの発光時期をずらす必要がないので、駆動回路の制御構成を簡素化できる。
【００５１】
なお、マイクロレンズＭＬ２１〜ＭＬ２６として偏心レンズを使用することもできる。偏心レンズを使用した場合、マイクロレンズＭＬ２４〜ＭＬ２６は、対向する発光素子Ｅからの出射光をＸ方向側に屈折させることができるようレンズの偏心度が定められる。また、マイクロレンズＭＬ２４〜ＭＬ２６の偏心度は、マイクロレンズＭＬ２４→マイクロレンズＭＬ２５→マイクロレンズＭＬ２６の順に大きくなる。一方、マイクロレンズＭＬ２１〜ＭＬ２３は、対向する発光素子Ｅからの出射光をＸ方向とは反対側に屈折させることができるようレンズの偏心度が定められる。また、マイクロレンズＭＬ２１〜ＭＬ２３の偏心度は、マイクロレンズＭＬ２３→マイクロレンズＭＬ２２→マイクロレンズＭＬ２１の順に大きくなる。このように偏心レンズを使用した場合、各マイクロレンズＭＬの偏心度は、レンズアレイユニット２６における配列位置が中央から端になるにつれて大きくなるように、かつ、発光素子Ｅ１〜Ｅ６からの出射光をピッチＤ２でＸ方向に一列に結像できるように定められる。
【００５２】
＜Ｄ．変形例＞
本発明は上述した各実施形態に限定されるものではなく、例えば以下の変形が可能である。また、以下に示す２以上の変形例を適宜組み合わせることもできる。
（変形例１）第１実施形態において発光素子Ｅ７，Ｅ８の位置は、図２に示した位置に限定されない。例えば、発光素子Ｅ７，Ｅ８の位置を、図２に示した位置より発光素子チップ１２の中央側に寄せてもよい。このように発光素子Ｅ７，Ｅ８を設ける位置は、額縁部以外の場所で、かつ直線ＬＸ１上とは異なる場所であればよい。但し、発光素子Ｅ７，Ｅ８の位置に応じて、マイクロレンズＭＬ７，ＭＬ８の位置や偏心度を変える必要がある。また、図２に示したように、なるべく発光素子チップ１２の両端に近い位置（但し額縁部は除く）に発光素子Ｅ７，Ｅ８を設けた方が、出射光の進行方向を大きく曲げずに済む。以上の内容は第２実施形態についても同様である。
【００５３】
（変形例２）第１実施形態において、マイクロレンズＭＬ８（偏心レンズ）は、発光素子Ｅ８からの出射光をＸ方向だけでなくＹ方向とは反対側の方向にも屈折させることができるものであってもよい。この場合、マイクロレンズＭＬ８の偏心度は、発光素子Ｅ８からの出射光を、発光素子Ｅ６からの出射光の結像位置からＸ方向にピッチＤ１だけ離間した位置に結像できるよう定められているとよい。これはマイクロレンズＭＬ７についても同様である。すなわち、マイクロレンズＭＬ７は、発光素子Ｅ７からの出射光を、発光素子Ｅ１からの出射光の結像位置からＸ方向とは反対側にピッチＤ１だけ離間した位置に結像できるよう、レンズの偏心度が定められていてもよい。このようにマイクロレンズＭＬ７，ＭＬ８の偏心度を定めれば、発光素子Ｅ１〜Ｅ６と発光素子Ｅ７，Ｅ８で発光時期をずらす必要がないので、駆動回路の制御構成を簡素化できる。
これは第２実施形態におけるマイクロレンズＭＬ１７，ＭＬ１８についても同様である。但し、第２実施形態の場合は、偏心度の代わりに、レンズの光軸と発光中心とのずれ量をＹ方向とは反対側の方向にも調整することになる。
【００５４】
（変形例３）第１実施形態において、複数組の発光素子チップ１２とレンズアレイユニット２２をＸ方向に一列に並べる場合、その両端に位置する発光素子チップ１２とレンズアレイユニット２２の組は、一方の側しか他の組と隣り合わない。従って、例えば図２に示した２組の発光素子チップ１２とレンズアレイユニット２２のうち、図中左側の発光素子チップ１２とレンズアレイユニット２２における発光素子Ｅ７およびマイクロレンズＭＬ７と、図中右側の発光素子チップ１２とレンズアレイユニット２２における発光素子Ｅ８およびマイクロレンズＭＬ８は、なくてもよい。また、一列に並べられた複数組の発光素子チップ１２とレンズアレイユニット２２の総てにおいて、発光素子Ｅ７およびマイクロレンズＭＬ７（または発光素子Ｅ８およびマイクロレンズＭＬ８）はなくてもよい。
例えば、図２に示す構成において発光素子Ｅ７およびマイクロレンズＭＬ７（または発光素子Ｅ８およびマイクロレンズＭＬ８）をなくした場合、発光素子チップ１２を一列に並べることが可能な額縁部の幅Ｄ３は、最大でピッチＤ１となる。つまり、額縁部の幅Ｄ３がピッチＤ１以下であれば、発光素子チップ１２をＸ方向に一列に並べることができる。以上の内容は第２実施形態についても同様である。
【００５５】
（変形例４）例えば、図２に示した各発光素子チップ１２において、直線ＬＸ２上に片側２個ずつ計４個の発光素子Ｅを設け、発光素子Ｅ１，Ｅ６からの出射光の結像位置よりも外側に、４個の発光素子Ｅからの出射光を結像する構成としてもよい。このような構成とすれば、発光素子チップ１２を一列に並べることが可能な額縁部の幅Ｄ３をより大きくとることができる。但し、このように直線ＬＸ２上の発光素子Ｅの数を増やす場合は、マイクロレンズＭＬ（偏心レンズ）の数も増やす必要がある。また、マイクロレンズＭＬの偏心度を調整し、直線ＬＸ２上の各発光素子Ｅからの出射光をピッチＤ１を保って結像できるようにする必要がある。これは第２実施形態についても同様である。但し、第２実施形態の場合は、偏心度の代わりに、レンズの光軸と発光中心とのずれ量を調整することになる。
また、第３実施形態の場合も、レンズの光軸と発光中心とのずれ量や、レンズの偏心度を調整することで、感光体ドラム７０の表面のうち発光素子Ｅ１，Ｅ６に相当する位置よりも外側に結像する発光素子Ｅの数を増やすことが可能であり、これによって発光素子チップ１６を一列に並べることが可能な額縁部の幅Ｄ３をより大きくとることができる。
【００５６】
（変形例５）第１実施形態では、図２に示したように発光素子Ｅ１〜Ｅ６の両端から各々Ｙ方向に１個ずつ発光素子Ｅを配置した場合を説明したが、図１０に示すように発光素子Ｅ１〜Ｅ６の両端から各々Ｙ方向に２個ずつ発光素子Ｅを配置してもよい。
図１０は、変形例５に係る光ヘッド４の構造を示す斜視図である。
各発光素子チップ１８には、第１実施形態で説明した８個の発光素子Ｅ１〜Ｅ８に加え、発光素子Ｅ７，Ｅ８からＹ方向に所定距離だけ離間した位置に発光素子Ｅ９，Ｅ１０が配置される。なお、図１０において直線ＬＸ１と直線ＬＸ２の間隔と、直線ＬＸ２と直線ＬＸ３の間隔とは、必ずしも同じでなくてよい。各レンズアレイユニット２８には、第１実施形態で説明した８個のマイクロレンズＭＬ１〜ＭＬ８に加え、発光素子Ｅ９と対向する位置にマイクロレンズＭＬ９が設けられ、発光素子Ｅ１０と対向する位置にマイクロレンズＭＬ１０が設けられる。マイクロレンズＭＬ９，ＭＬ１０は偏心レンズである。マイクロレンズＭＬ９は、発光素子Ｅ９からの出射光を、発光素子Ｅ７からの出射光の結像位置よりもピッチＤ１だけＸ方向とは反対側に結像できるよう、レンズの偏心度が定められている。また、マイクロレンズＭＬ１０は、発光素子Ｅ１０からの出射光を、発光素子Ｅ８からの出射光の結像位置よりもピッチＤ１だけＸ方向側に結像できるよう、レンズの偏心度が定められている。なお、マイクロレンズＭＬ９は、発光素子Ｅ９からの出射光を少なくともＸ方向とは反対側に屈折させることができればよいが、Ｙ方向とは反対側にも発光素子Ｅ９からの出射光を屈折させることができる。同様にマイクロレンズＭＬ１０は、発光素子Ｅ１０からの出射光を少なくともＸ方向側に屈折させることができればよいが、Ｙ方向とは反対側にも発光素子Ｅ１０からの出射光を屈折させることができる。このような構成を有する光ヘッド４であっても、発光素子Ｅ１，Ｅ６からの出射光の結像位置よりも外側に、４個の発光素子Ｅ７〜Ｅ１０からの出射光をピッチＤ１を保って一列に結像することができる。また、発光素子チップ１８を一列に並べることが可能な額縁部の幅Ｄ３を、最大でピッチＤ１×２．５とすることができる。なお、発光素子Ｅ１〜Ｅ６の両端から各々Ｙ方向に３個ずつ以上の発光素子Ｅを並べてもよい。勿論、このようにＹ方向に並べる発光素子Ｅの数を増やす場合は、マイクロレンズＭＬ（偏心レンズ）の数も増やす必要がある。また、マイクロレンズＭＬの偏心度を調整し、Ｙ方向に並べた各発光素子Ｅからの出射光をピッチＤ１を保って結像できるようにする必要がある。
【００５７】
また、以上の内容は第２実施形態についても同様である。但し、第２実施形態の場合は、図１０におけるマイクロレンズＭＬ７〜ＭＬ１０が、偏心レンズではなく光学中心と幾何学中心が一致するレンズになる。従って、マイクロレンズＭＬ７〜ＭＬ１０と発光素子Ｅ７〜Ｅ１０について、レンズの光軸と発光中心とのずれ量を調整する必要がある。つまり、図１０に示す構成の場合、マイクロレンズＭＬ７と発光素子Ｅ７及びマイクロレンズＭＬ８と発光素子Ｅ８については、第２実施形態におけるマイクロレンズＭＬ１７と発光素子Ｅ７及びマイクロレンズＭＬ１８と発光素子Ｅ８と同じであるので説明を省略するが、マイクロレンズＭＬ９は、発光素子Ｅ９からの出射光を、発光素子Ｅ７からの出射光の結像位置よりもピッチＤ１だけＸ方向とは反対側に結像できるよう、レンズの光軸を発光素子Ｅ９の発光中心から少なくともＸ方向とは反対側にずらして配置される。また、マイクロレンズＭＬ１０は、発光素子Ｅ１０からの出射光を、発光素子Ｅ８からの出射光の結像位置よりもピッチＤ１だけＸ方向側に結像できるよう、レンズの光軸を発光素子Ｅ１０の発光中心から少なくともＸ方向側にずらして配置される。
【００５８】
（変形例６）第１実施形態において、レンズアレイ２０は、レンズアレイユニット２２ごとに基体が分かれていなくてもよい。つまり、レンズアレイ２０は、複数の発光素子チップ１２と対向する位置に設けられた１つの基体を有し、この基体のうち複数の発光素子チップ１２の各々と対向する各領域に８個のマイクロレンズＭＬが設けられていてもよい。また、レンズアレイ２０は、マイクロレンズＭＬが配列された部分以外の間隙に遮光性を有する樹脂等が充填された構成であってもよい。以上の内容は第２実施形態や第３実施形態についても同様である。
【００５９】
（変形例７）第１実施形態において、マイクロレンズＭＬ１〜ＭＬ６とマイクロレンズＭＬ７，ＭＬ８は、レンズ部の曲率半径が同じであってもよいし異なっていてもよい。なお、マイクロレンズＭＬ７，ＭＬ８のレンズ部の曲率半径を大きくすると、対向する発光素子Ｅ７，Ｅ８からの出射光をより大きく屈折させることができる。これは第２実施形態についても同様である。
また、第３実施形態において、マイクロレンズＭＬ２１〜ＭＬ２６の各々は、レンズ部の曲率半径が同じであってもよいし異なっていてもよい。なお、レンズ部の曲率半径が大きいほど、対向する発光素子Ｅからの出射光を大きく屈折させることができる。従って、各レンズアレイユニット２６では、マイクロレンズＭＬの配列位置が中央から端になるほど（ＭＬ２３→ＭＬ２２→ＭＬ２１，ＭＬ２４→ＭＬ２５→ＭＬ２６）、レンズ部の曲率半径を大きくするとよい。
【００６０】
（変形例８）第２実施形態におけるマイクロレンズＭＬ１７，ＭＬ１８は、入射側のレンズ部と出射側のレンズ部で曲率半径が異なってもよい。例えば、出射側のレンズ部の曲率半径を入射側のレンズ部の曲率半径より小さくすることができる。これは、第３実施形態において光学中心と幾何学中心が一致するレンズを使用する場合についても同様である。
【００６１】
（変形例９）発光素子Ｅは、有機発光ダイオード素子に限らず、ＬＥＤ素子、無機ＥＬ素子、プラズマディスプレイ素子等であってもよい。また、発光素子Ｅは、電圧の印加によって駆動される電圧駆動型の素子であってもよい。また、発光素子Ｅの発光面の形状を円形以外にする場合は、その重心を発光素子Ｅの発光中心とすればよい。また、ピッチＤ１やピッチＤ２は、必ずしも一定（等間隔）でなくてよい。また、発光パネル１０は、トップエミッション型でなくボトムエミッション型であってもよい。
【００６２】
（変形例１０）例えば特開２００８−９３８８２号公報の図８に記載されているように、１つのマイクロレンズＭＬに対向する位置に複数の発光素子Ｅが設けられ、複数の発光素子Ｅによって１つの発光部が構成されてもよい。この場合、１つの発光部を構成する複数の発光素子Ｅの中心（重心）を発光部の発光中心とすればよい。
【００６３】
＜Ｅ．電子機器＞
次に、上述した実施形態および変形例に係る光ヘッドを利用した電子機器の具体例を説明する。
図１１は、画像形成装置の構成を示す断面図である。
この画像形成装置は、タンデム型のフルカラー画像形成装置であり、上述した実施形態および変形例に係る光ヘッドを露光装置として使用している。画像形成装置は、４個の光ヘッド１００（１００Ｋ，１００Ｃ，１００Ｍ，１００Ｙ）と、各光ヘッド１００に対応する４個の感光体ドラム７０（７０Ｋ，７０Ｃ，７０Ｍ，７０Ｙ）とを備える。１つの光ヘッド１００は、この光ヘッド１００に対応した感光体ドラム７０の外周面と対向するように配置される。なお、各符号の添字「Ｋ」「Ｃ」「Ｍ」「Ｙ」は、黒（Ｋ）、シアン（Ｃ）、マゼンダ（Ｍ）、イエロー（Ｙ）の各顕像の形成に利用されることを意味している。
【００６４】
駆動ローラ７１１と従動ローラ７１２には無端の中間転写ベルト７２が巻回される。４個の感光体ドラム７０は、相互に所定の間隔をあけて中間転写ベルト７２の周囲に配置される。各感光体ドラム７０は、中間転写ベルト７２の駆動に同期して回転する。また、各感光体ドラム７０の周囲には、光ヘッド１００の他にコロナ帯電器７３１（７３１Ｋ，７３１Ｃ，７３１Ｍ，７３１Ｙ）と現像器７３２（７３２Ｋ，７３２Ｃ，７３２Ｍ，７３２Ｙ）とが配置される。コロナ帯電器７３１は、これに対応する感光体ドラム７０の外周面を一様に帯電させる。この帯電した外周面を各光ヘッド１００が露光することで静電潜像が形成される。各現像器７３２は、静電潜像に現像剤（トナー）を付着させることで感光体ドラム７０に顕像（可視像）を形成する。
【００６５】
以上のように感光体ドラム７０に形成された各色（黒・シアン・マゼンタ・イエロー）の顕像が中間転写ベルト７２の表面に順次に転写（一次転写）されることでフルカラーの顕像が形成される。中間転写ベルト７２の内側には４個の一次転写コロトロン（転写器）７４（７４Ｋ，７４Ｃ，７４Ｍ，７４Ｙ）が配置される。各一次転写コロトロン７４は、これに対応する感光体ドラム７０から顕像を静電的に吸引することによって、感光体ドラム７０と一次転写コロトロン７４との間隙を通過する中間転写ベルト７２に顕像を転写する。
【００６６】
シート（記録材）７５は、ピックアップローラ７６１によって給紙カセット７６２から１枚ずつ給送され、中間転写ベルト７２と二次転写ローラ７７との間のニップに搬送される。中間転写ベルト７２の表面に形成されたフルカラーの顕像は、二次転写ローラ７７によってシート７５の片面に転写（二次転写）され、定着ローラ対７８を通過することでシート７５に定着される。排紙ローラ対７９は、以上の工程を経て顕像が定着されたシート７５を排出する。
【００６７】
この画像形成装置は、有機発光ダイオード素子を光源として利用しているので、レーザー走査光学系を利用した構成よりも装置が小型化される。なお、以上に例示した以外の構成の画像形成装置にも光ヘッド１００を適用することができる。例えば、ロータリ現像式の画像形成装置や、中間転写ベルトを使用せずに感光体ドラム７０からシートに対して直接的に顕像を転写するタイプの画像形成装置、あるいはモノクロの画像を形成する画像形成装置にも光ヘッド１００を利用することが可能である。
【００６８】
また、光ヘッド１００の用途は像担持体の露光に限定されない。例えば、光ヘッド１００は、原稿等の読取対象に光を照射する照明装置として画像読取装置に採用される。この種の画像読取装置としては、スキャナー、複写機やファクシミリの読取部分、バーコードリーダー、あるいはＱＲコード（登録商標）のような二次元画像コードを読む二次元画像コードリーダー等がある。
【符号の説明】
【００６９】
１〜４…光ヘッド、１０…発光パネル、１２，１６，１８…発光素子チップ、Ｅ１〜Ｅ１０…発光素子、２０…レンズアレイ、２２，２４，２６，２８…レンズアレイユニット、ＭＬ１〜ＭＬ１０，ＭＬ１７，ＭＬ１８，ＭＬ２１〜ＭＬ２６…マイクロレンズ、７０…感光体ドラム。
【図１】
2011173303.tif 000003
【図２】
2011173303.tif 000004
【図３】
2011173303.tif 000005
【図４】
2011173303.tif 000006
【図５】
2011173303.tif 000007
【図６】
2011173303.tif 000008
【図７】
2011173303.tif 000009
【図８】
2011173303.tif 000010
【図９】
2011173303.tif 000011
【図１０】
2011173303.tif 000012
【図１１】
2011173303.tif 000013